(57)【要約】【課題】加熱ユニットを外装ケースに収容して固定する作業の負担を軽減することができる温水装置の加熱ユニット固定構造を提供すること。【解決手段】燃料を燃焼させて燃焼ガスを発生させる燃焼部と、燃焼部に燃焼用の空気を供給する送風部と、燃焼ガスの熱を利用して湯水を加熱する熱交換器と、湯水の加熱に利用された燃焼ガスを外部に排気する排気部を有する加熱ユニットを、開口部を有する箱状の外装ケースに収容した温水装置の加熱ユニット固定構造において、加熱ユニットは外装ケースに固定するための上部手前側の上側固定部材と下部奥側の下側固定部材を有し、上側固定部材を外装ケースの開口部の上縁部材に形成された係合部に回動可能に係合させ、上側固定部材が係合部に係合された状態で加熱ユニットを奥側に回動させることにより下側固定部材を外装ケースの奥側に配設された固定用部材に固定する。【選択図】図１
2020101346.tif 000002
【特許請求の範囲】
【請求項１】
燃料を燃焼させて燃焼ガスを発生させる燃焼部と、前記燃焼部に燃焼用の空気を供給する送風部と、燃焼ガスの熱を利用して湯水を加熱する熱交換器と、湯水の加熱に利用された燃焼ガスを外部に排気する排気部を有する加熱ユニットを、開口部を有する箱状の外装ケースに収容した温水装置の加熱ユニット固定構造において、
前記加熱ユニットは、前記外装ケースに固定するための上部手前側の上側固定部材と下部奥側の下側固定部材を有し、
前記上側固定部材は、前記外装ケースの前記開口部の上縁部材に形成された係合部に回動可能に係合され、
前記下側固定部材は、前記上側固定部材が前記係合部に係合された状態で前記加熱ユニットを奥側に回動させることにより前記外装ケースの奥側に配設された固定用部材に固定されることを特徴とする温水装置の加熱ユニット固定構造。
【請求項２】
前記下側固定部材は下向きに設けられた爪部を有し、前記固定用部材は、奥側程上方に移行する傾斜壁部を備えると共に、前記傾斜壁部に前記爪部が係合される係合孔を有することを特徴とする請求項１に記載の温水装置の加熱ユニット固定構造。
【請求項３】
前記加熱ユニットの奥側への回動により、前記爪部は前記傾斜壁部に当接すると共に前記傾斜壁部を弾性変形させながら奥側に移動して前記係合孔に係合され、前記爪部が前記係合孔に係合されて固定された状態で前記上側固定部材と前記下側固定部材が前記外装ケースに締結部材により締結固定されることを特徴とする請求項２に記載の温水装置の加熱ユニット固定構造。
【発明の詳細な説明】
【技術分野】
【０００１】
本発明は、温水を供給するために湯水を加熱する加熱ユニットを備えた温水装置に関し、特に加熱ユニットを固定する構造に関する。
【背景技術】
【０００２】
従来から、温水を供給するために湯水を加熱する加熱ユニットを外装ケースに収容して構成された温水装置が広く利用されている。例えば燃焼式の温水装置は、燃料を燃焼させて燃焼ガスを発生させる燃焼部と、燃焼部に燃焼用の空気を供給する送風部と、燃焼ガスの熱を利用して湯水を加熱する熱交換器と、湯水の加熱に利用された燃焼ガスの排気部を一体化した加熱ユニットが、外装ケース内に固定されている。
【０００３】
燃焼部や熱交換器、排気部は、金属製の複数の配管部材や板状部材等によって構成されているので、これらを一体化した加熱ユニットは重量物である。そのため、温水装置の製造時に加熱ユニットを外装ケースに収容して固定する作業や、メンテナンス時に加熱ユニットを脱着する作業を行う作業者の負担が大きくなっている。
【０００４】
一方、特許文献１の温水装置のように、排気部を備えた熱交換器が外装ケースに固定され、ビスと外装ケースに配設されたクランプ部材によって熱交換器に連結された燃焼部を、送風部と共に外装ケースから取り出し可能に構成された温水装置が知られている。特許文献１の温水装置は、加熱ユニットを分割して取り出すようにしてメンテナンス時の作業性の向上を図っている。
【先行技術文献】
【特許文献】
【０００５】
【特許文献１】特開２０１７−１７２９２７号公報
【発明の概要】
【発明が解決しようとする課題】
【０００６】
特許文献１の構造を利用して、温水装置の製造時にも排気部を備えた熱交換器を外装ケースに固定し、送風部が連結された燃焼部を熱交換器に連結すると共に外装ケースに固定すれば、一体化した加熱ユニットを固定する場合よりも作業者の負担を軽減することが可能である。しかし、送風部が連結された燃焼部も排気部を備えた熱交換器も、依然として重量物であるため、これらを支えながら所定の位置に合わせて締結部材により固定する作業は、やはり作業者にとって負担が大きい。
【０００７】
本発明の目的は、加熱ユニットを外装ケースに収容して固定する作業の負担を軽減することができる温水装置の加熱ユニット固定構造を提供することである。
【課題を解決するための手段】
【０００８】
請求項１の発明の温水装置の加熱ユニット固定構造は、燃料を燃焼させて燃焼ガスを発生させる燃焼部と、前記燃焼部に燃焼用の空気を供給する送風部と、燃焼ガスの熱を利用して湯水を加熱する熱交換器と、湯水の加熱に利用された燃焼ガスを外部に排気する排気部を有する加熱ユニットを、開口部を有する箱状の外装ケースに収容した温水装置の加熱ユニット固定構造において、前記加熱ユニットは、前記外装ケースに固定するための上部手前側の上側固定部材と下部奥側の下側固定部材を有し、前記上側固定部材は、前記外装ケースの前記開口部の上縁部材に形成された係合部に回動可能に係合され、前記下側固定部材は、前記上側固定部材が前記係合部に係合された状態で前記加熱ユニットを奥側に回動させることにより前記外装ケースの奥側に配設された固定用部材に固定されることを特徴としている。
【０００９】
上記構成によれば、燃焼部と送風部と熱交換器と排気部を備えた加熱ユニットは上部手前側の上側固定部材と下部奥側の下側固定部材を有し、上側固定部材が外装ケースの開口部の上縁部材に設けられた係合部に回動可能に係合されて加熱ユニットが支持される。この状態で加熱ユニットが奥側に回動されることによって、下側固定部材が外装ケースの固定用部材に固定される。従って、最初に重量物である加熱ユニットを外装ケースに支持させるので、加熱ユニットを支持する作業負担を軽減することができる。そして、加熱ユニットを支持させた状態でこの加熱ユニットを奥側に回動させて外装ケースに固定することができるので、加熱ユニットを外装ケースに収容して固定する作業負担を軽減することができる。
【００１０】
請求項２の発明の温水装置の加熱ユニット固定構造は、請求項１の発明において、前記下側固定部材は下向きに設けられた爪部を有し、前記固定用部材は、奥側程上方に移行する傾斜壁部を備えると共に、前記傾斜壁部に前記爪部が係合される係合孔を有することを特徴としている。
【００１１】
上記構成によれば、係合部に上側固定部材が係合された加熱ユニットが奥側に回動されたときに、下側固定部材の下向きの爪部を固定用部材の傾斜壁部に設けられた係合孔に係合させて固定することができるので、加熱ユニットを外装ケースに固定する作業負担を軽減することができる。
【００１２】
請求項３の発明の温水装置の加熱ユニット固定構造は、請求項２の発明において、前記加熱ユニットの奥側への回動により、前記爪部は前記傾斜壁部に当接すると共に前記傾斜壁部を弾性変形させながら奥側に移動して前記係合孔に係合され、前記爪部が前記係合孔に係合されて固定された状態で前記上側固定部材と前記下側固定部材が前記外装ケースに締結部材により締結固定されることを特徴としている。
【００１３】
上記構成によれば、加熱ユニットの奥側への回動によって、爪部は傾斜壁部を弾性変形させながら傾斜壁部に沿うように奥側に移動する。そして、爪部が係合孔に導かれると傾斜壁部の弾性変形が解消され、爪部が係合孔に係合される。これにより上側固定部材が係合部に係合された加熱ユニットの回動が規制されて加熱ユニットが外装ケースに固定される。この作業者が加熱ユニットを支持する負担がない状態で、締結部材によって上側固定部材と下側固定部材を外装ケースに締結固定することができるので、加熱ユニットを外装ケースに固定する作業負担を軽減することができる。
【発明の効果】
【００１４】
本発明の温水装置の加熱ユニット固定構造によれば、加熱ユニットを外装ケースに収容して固定する作業の負担を軽減することができる。
【図面の簡単な説明】
【００１５】
【図１】本発明の実施例に係る温水装置の要部を斜め前方から見下ろした斜視図である。
【図２】本発明の実施例に係る温水装置の要部を斜め後方から見上げた斜視図である。
【図３】下側固定部材の左側の爪部が固定用部材の係合孔に係合した状態を示す要部斜視図である。
【図４】上側固定部材を上縁部材に係合させる作業を説明する図である。
【図５】下側固定部材を固定用部材に固定する作業を説明する図である。
【発明を実施するための形態】
【００１６】
以下、本発明を実施するための形態について実施例に基づいて説明する。
【実施例】
【００１７】
温水装置１は、図１，図２に示すように湯水を加熱する加熱ユニット２が箱状の外装ケース３に収容されて固定されている。図中の矢印Ｆは温水装置１の前方を示し、矢印Ｌは温水装置１の左方を示し、矢印Ｕは温水装置１の上方を示す。温水装置１の前方から作業する作業者にとって、手前側が温水装置１の前側になり、奥側が温水装置１の後側になり、作業者の右手側が温水装置１の左側になるので、以下では温水装置１の前側を手前側、温水装置１の後側を奥側、温水装置１の左右方向を幅方向と言うことがある。
【００１８】
箱状の外装ケース３は、前後左右の４つの側面部が形成する４つの角部の位置に鉛直に４本の支柱３ａ〜３ｄが立てられ、前側の２本の支柱３ａ，３ｂの上端部分を連結する上部前側の桟４と、左側の前後の２本の支柱３ａ，３ｃの下側部分を連結する下部左側の桟３ｅと、右側の前後の２本の支柱３ｂ，３ｄの下側部分を連結する下部右側の桟３ｆ等で構成されたフレーム部材を有する。
【００１９】
このフレーム部材は、下部左側の桟３ｅ及び下部右側の桟３ｆの前後方向中間部分を幅方向に連結する奥側の桟５（固定用部材）を有する。図示を省略するが、フレーム部材には、天面板や側面板、排気部２ｄ用の開口部を備えた前面板等、複数の外装板が取り付けられ、配管類や補機類、貯湯式の温水装置であれば貯湯タンク等、他の部材も収容される。尚、フレーム部材は、前側の２本の支柱３ａ，３ｂの下側部分や、後側の２本の支柱３ｃ，３ｄの上側部分を夫々連結する桟やプレート部材、左側の支柱３ａと支柱３ｃ及び右側の支柱３ｂと支柱３ｄの上端部分を連結する桟等を有していてもよい。
【００２０】
外装ケース３は、前側の２本の支柱３ａ，３ｂの間であって上部前側の桟４の下側に、加熱ユニット２を外装ケース３内に入れるための開口部を有し、上部前側の桟４が開口部の上縁部材に相当する。上部前側の桟４は、略鉛直な姿勢の前壁部４ａの上下両端部から夫々後方に延びる上壁部４ｂと下壁部４ｃを幅方向にわたって有し、前壁部４ａには係合部として大きさ（幅方向の長さ）が異なる２つの上側係合孔４ｄ，４ｅが形成されている。
【００２１】
加熱ユニット２は、燃料を燃焼させて燃焼ガスを発生させる燃焼部２ａと、燃焼部２ａに燃焼用の空気を供給する送風部２ｂと、燃焼ガスの熱を利用して湯水を加熱する熱交換器２ｃと、湯水の加熱に利用された燃焼ガスを外部に排気する排気部２ｄを有する。燃焼部２ａの下側に送風部２ｂが取付けられ、燃焼部２ａの上側に熱交換器２ｃが取り付けられ、熱交換器２ｃの前側が排気部２ｄになっている。尚、図２では送風部２ｂを省略している。
【００２２】
燃焼部２ａは、送風部２ｂから供給された空気と共に燃料を燃焼させて高温の燃焼ガスを発生させる。熱交換器２ｃは、その燃焼ガスと伝熱管内を流通する湯水との間で熱交換させて湯水を加熱する。湯水の加熱に利用されて温度が下がった燃焼ガスが、排気部２ｄから温水装置１の前方に排気される。
【００２３】
熱交換器２ｃの上部前側（上部手前側）には、上側固定部材６が配設されている。上側固定部材６は、熱交換器２ｃの上面部に固定されたベース部６ａと、ベース部６ａの前端から上方に略垂直に延びる縦壁部６ｂと、縦壁部６ｂの幅方向両端部分の上端から後方に延びて後端部が下方に屈曲された１対のフック部６ｃ，６ｄを有する。この１対のフック部６ｃ，６ｄが上部前側の桟４の前壁部４ａに設けられた２つの上側係合孔４ｄ，４ｅに夫々挿通してこの上部前側の桟４に係合した状態で、前側から上側固定部材６の縦壁部６ｂが上部前側の桟４の前壁部４ａにビス７ａ，７ｂ（締結部材）によって締結固定されている。
【００２４】
燃焼部２ａの下部後面部には、下側固定部材８が配設されている。下側固定部材８は、平板状に形成されて燃焼部２ａの下端よりも下方に突出するように燃焼部２ａの後面部にビス等によって固定され、その下端部に下方に延びる下向きの左側の爪部８ａと右側の爪部８ｂを有する。尚、下側固定部材８は、爪部８ａを備えた部分と爪部８ｂを備えた部分に分かれていてもよく、燃焼部２ａの底面部にビス等によって固定されて下方に屈曲された平板状の部分の下端部に爪部８ａ，８ｂを備えていてもよい。
【００２５】
フレーム部材の奥側の桟５は、幅方向に延びる鉛直壁部５ａと、この鉛直壁部５ａの下端から前方且つ下方に斜めに延びたことにより奥側程上方に移行する傾斜壁部５ｂを有する。この傾斜壁部５ｂは、鉛直壁部５ａとの境界領域（鉛直壁部５ａと傾斜壁部５ｂで形成される角部近傍領域）の下側固定部材８の爪部８ａ，８ｂに対応する部位に、下側係合孔５ｃ，５ｄ（係合孔）を備えている。
【００２６】
図３に示すように、下側固定部材８の左側の爪部８ａが下側係合孔５ｃに係合された状態で、前側から下側固定部材８が下部奥側の桟５の鉛直壁部５ａにビス９ａ（締結部材）によって締結固定されている。図示を省略するが、同様に、右側の爪部８ｂが下側係合孔５ｄに係合された状態で、下側固定部材８が奥側の桟５の鉛直壁部５ａにビス９ｂ（締結部材）によって締結固定されている（図２参照）。
【００２７】
次に、加熱ユニット２を外装ケース３に収容して固定する作業について説明する。
図１のように、加熱ユニット２は、別々に組み立てられた燃焼部２ａと送風部２ｂと排気部２ｄを有する熱交換器２ｃがビス等によって連結されて一体化されている。この加熱ユニット２を外装ケース３に収容してフレーム部材に固定する。そして、配管類等他の部材を取り付けた後、図示外の複数の外装板をフレーム部材に取り付けて温水装置１が完成する。
【００２８】
図４に示すように、加熱ユニット２を外装ケース３に収容する際には、加熱ユニット２を持ち上げて外装ケース３の前側の開口部から入れる。このとき、この開口部の上縁部材である上部前側の桟４に係合部として形成された２つの上側係合孔４ｄ，４ｅに上側固定部材６の１対のフック部６ｃ，６ｄを夫々挿通し少し下げて係合させることにより、フレーム部材が加熱ユニット２を吊り下げるように支持する。左側の小さい方の上側係合孔４ｄにフック部６ｃを係合させることにより加熱ユニット２の幅方向の位置が容易に定まる。また、右側の大きい方の上側係合孔４ｅによって異なるサイズの加熱ユニットに対応できる。
【００２９】
加熱ユニット２は、上側固定部材６が係合部に係合された状態で係合部を支軸にして前後方向に所定の範囲で回動可能になる。加熱ユニット２は、上部手前側の上側固定部材６が支持されるので、その鉛直下方に加熱ユニット２の重心が位置するように重力によって手前側に回動する。
【００３０】
図５に示すように、上側固定部材６が係合部に係合された状態で加熱ユニット２を破線矢印のように奥側に回動させると、燃焼部２ａに固定された下側固定部材８の下向きの爪部８ａ，８ｂが奥側の桟５の傾斜壁部５ｂに当接する。そのまま更に奥側に回動させると、爪部８ａ，８ｂが傾斜壁部５ｂを下方に弾性変形させながら奥側に移動して対応する下側係合孔５ｃ，５ｄに到達する。爪部８ａ，８ｂが対応する下側係合孔５ｃ，５ｄに夫々到達すると、傾斜壁部５ｂの弾性変形が元に戻って爪部８ａ，８ｂが下側係合孔５ｃ，５ｄに夫々係合される（図２参照）。尚、爪部と下側係合孔は夫々２つに限定されるものではなく、１つの下側係合孔に複数の爪部が係合されるようにしてもよい。
【００３１】
このように爪部８ａ，８ｂが下側係合孔５ｃ，５ｄに係合することにより、加熱ユニット２が重力によって手前側に回動することが規制されるので、加熱ユニット２は上側固定部材６と下側固定部材８によって外装ケース３のフレーム部材に固定される。この状態で、上側固定部材６の縦壁部６ｂを上部前側の桟４の前壁部４ａに、下側固定部材８を奥側の桟５の鉛直壁部５ａに夫々ビス７ａ，９ａ等の締結部材によって前側から締結固定することにより、加熱ユニット２が外装ケース３に締結固定される。
【００３２】
本発明の温水装置１の加熱ユニット固定構造の作用、効果について説明する。
最初に加熱ユニット２の上部手前側の上側固定部材６を外装ケース３の開口部の上縁部材である上部前側の桟４に設けられた係合部に回動可能に係合させて、外装ケース３に重量物である加熱ユニット２を支持させるので、加熱ユニット２を支持する作業負担が軽減される。そして、上側固定部材６が係合部に係合された状態で加熱ユニット２を奥側に回動させて、加熱ユニット２の下部奥側の下側固定部材８を外装ケース３の固定用部材である奥側の桟５に固定するので、外装ケース３に加熱ユニット２を収容して固定することが容易になり作業負担が軽減される。
【００３３】
下側固定部材８には下向きの爪部８ａ，８ｂが設けられ、外装ケース３の奥側の桟５の傾斜壁部５ｂには爪部８ａ，８ｂが夫々係合する下側係合孔５ｃ，５ｄが設けられている。そして、上側固定部材６が係合部に係合された状態で加熱ユニット２を奥側に回動させることによって、爪部８ａ，８ｂを対応する下側係合孔５ｃ，５ｄに夫々係合させて加熱ユニット２を容易に固定することができるので、加熱ユニット２を固定する作業負担が軽減される。
【００３４】
上側固定部材６が係合部に係合された状態で加熱ユニット２の奥側への回動によって、傾斜壁部５ｂに沿うように爪部８ａ，８ｂが奥側に移動する。このとき傾斜壁部５ｂは爪部８ａ，８ｂによって弾性変形し、爪部８ａ，８ｂが対応する下側係合孔５ｃ，５ｄに導かれると傾斜壁部５ｂの弾性変形が解消されて爪部８ａ，８ｂが下側係合孔５ｃ，５ｄに夫々係合される。これにより上部前側の桟４に設けられた係合部に上側固定部材６が係合された加熱ユニット２の回動が規制される。この作業者が加熱ユニット２を支持する負担がない状態で、ビス７ａ，９ａ等の締結部材によって加熱ユニット２を外装ケース３に締結固定することができるので、締結固定する作業負担を軽減することができる。
【００３５】
メンテナンス等で加熱ユニット２を脱着する場合でも、温水装置１の前面側から上記と逆の順序で加熱ユニット２を取り外すことができ、上記と同様の順序で加熱ユニット２を取り付けることができるので、作業負担が軽減される。
【００３６】
また、図示を省略するが、例えば瞬間式の温水装置のように、外装ケースは、加熱ユニット２等が固定される背面パネルと底面パネルと、背面パネルと底面パネルに固定される上面及び１対の側面を覆うパネルと、加熱ユニット等を収容した後に開口部に取り付ける前面パネルによって構成され、フレーム部材を備えていない場合がある。この場合でも上記のように、上面及び１対の側面を覆うパネルにおける開口部の上縁部材に相当する部分に係合部を設け、この係合部に加熱ユニット２の上側固定部材６を係合させた状態で回動させて、背面パネルに固定された固定用部材に下側固定部材８を固定するように構成することができる。
【００３７】
その他、当業者であれば、本発明の趣旨を逸脱することなく、上記実施形態に種々の変更を付加した形態で実施可能であり、本発明はそのような変更形態を包含するものである。
【符号の説明】
【００３８】
１    ：温水装置
２    ：加熱ユニット
２ａ  ：燃焼部
２ｂ  ：送風部
２ｃ  ：熱交換器
２ｄ  ：排気部
３    ：外装ケース
３ａ〜３ｄ  ：支柱
４    ：上部前側の桟（上縁部材）
４ｄ，４ｅ  ：上側係合孔（係合部）
５    ：奥側の桟（固定用部材）
５ｂ  ：傾斜壁部
５ｃ，５ｄ  ：下側係合孔（係合孔）
６    ：上側固定部材
６ｃ，６ｄ  ：フック部
７ａ，７ｂ  ：ビス（締結部材）
８    ：下側固定部材
８ａ，８ｂ  ：爪部
９ａ，９ｂ  ：ビス（締結部材）
【図１】
2020101346.tif 000003
【図２】
2020101346.tif 000004
【図３】
2020101346.tif 000005
【図４】
2020101346.tif 000006
【図５】
2020101346.tif 000007